(57)【要約】  複数の細長い金属製ブレード（１４）を含む、剃毛かみそり（１０）用のサブアセンブリ（１３）。ブレードは、剃毛面を規定する刃先（２８）を有し、その長手方向末端部（３８）で第１及び第２のプラスチック製ブロック（２４）に固定されて、一体のユニットを提供する。
2007520325.tif 000002
【特許請求の範囲】
【請求項１】
剃毛かみそり用のサブアセンブリであって、
剃毛面を規定する刃先を有し、第１及び第２の長手方向末端部を有する複数の細長い金属製ブレードと、
第１及び第２のプラスチック製ブロックとを含み、
前記第１の長手方向末端部は、前記第１のプラスチック製ブロックに固定され、前記第２の長手方向末端部は、前記第２のプラスチック製ブロックに固定されて、一体のユニットを構成し、前記ブレードは、その末端部のみで互いに固定された、サブアセンブリ。
【請求項２】
前記第１及び第２の長手方向末端部が、前記第１及び第２のプラスチック製ブロックのスロット内に受け入れられる、請求項１に記載のサブアセンブリ。
【請求項３】
前記第１及び第２の長手方向末端部、並びに前記スロットは、噛み合う係止構造を有し、前記第１及び第２の長手方向末端部を前記第１及び第２のプラスチック製ブロックに固定する、請求項２に記載のサブアセンブリ。
【請求項４】
前記係止構造が、前記スロット内に突出する、前記長手方向末端部を貫通する穴に係合する突出部を含む、請求項３に記載のサブアセンブリ。
【請求項５】
前記長手方向末端部が、前記スロットの幅から前記突出部の高さを差し引いたよりも大きい厚さを有する、請求項４に記載のサブアセンブリ。
【請求項６】
前記ブレードのそれぞれが、前記刃先を有する細長い切刃部材と、前記細長い切刃部材が取り付けられる細長い支持体とを含み、前記支持体は、それぞれ１つの前記第１の長手方向末端部及び１つの第２の長手方向末端部を有する、請求項１に記載のサブアセンブリ。
【請求項７】
前記ブレードのそれぞれが、前記刃先を有する細長い切刃部材部分と、前記切刃部材部分から下向きに曲がった一体の細長い支持体部分とを有し、前記細長い支持体部分のそれぞれが、１つの前記第１の長手方向末端部及び１つの前記第２の長手方向末端部を有する、請求項１に記載のサブアセンブリ。
【請求項８】
前記ブレードのそれぞれが、前記刃先、１つの前記第１の長手方向末端部、及び１つの前記第２の長手方向末端部を有する細長い切刃部材を含む、請求項１に記載のサブアセンブリ。
【請求項９】
前記複数の細長い金属製ブレードが少なくとも３枚の前記ブレードを含む、請求項１に記載のサブアセンブリ。
【請求項１０】
前記複数の細長い金属製ブレードが少なくとも２枚の前記ブレードを含む、請求項１に記載のサブアセンブリ。
【請求項１１】
前記複数の細長い金属製ブレードが少なくとも４枚の前記ブレードを含む、請求項１に記載のサブアセンブリ。
【請求項１２】
前記複数の細長い金属製ブレードが５枚以上の前記ブレードを含む、請求項１に記載のサブアセンブリ。
【請求項１３】
前記刃先のすべてが共通の平面内にある、請求項１に記載のサブアセンブリ。
【請求項１４】
前記サブアセンブリが、剃毛かみそりのハウジングに接続するためのスナップ嵌め構造を有する、請求項１に記載のサブアセンブリ。
【請求項１５】
請求項１に記載のサブアセンブリと、
前記サブアセンブリが中に固定される凹部を有するハウジングと、を含む、剃毛かみそり。
【請求項１６】
前記ハウジングに固定された停止部材を更に含み、前記刃先が前記停止部材に当って止まる、請求項１５に記載の剃毛かみそり。
【請求項１７】
前記ハウジングに固定された付勢部材を更に含み、前記刃先が前記停止部材に対して付勢されるように前記ブレードを付勢する、請求項１６に記載の剃毛かみそり。
【請求項１８】
前記ブレードが剃毛中に前記スロット内で可動である、請求項１６に記載の剃毛かみそり。
【請求項１９】
前記停止部材が前記プラスチック製ブロック上に設けられる、請求項１６に記載の剃毛かみそり。
【請求項２０】
異なる前記スロットが異なる高さで停止部材を有する、請求項１９に記載の剃毛かみそり。
【請求項２１】
前記スロットが非平行である、請求項１８に記載の剃毛かみそり。
【請求項２２】
剃毛かみそりの製造方法であって、
刃先並びに第１及び第２の長手方向末端部を有する複数の細長い金属製かみそりブレードを提供し、
前記第１の長手方向末端部を第１のプラスチック製ブロックに、且つ前記第２の長手方向末端部を第２の末端ブロックに、前記刃先が剃毛面を規定するように前記第１及び第２のプラスチック製ブロック上の位置で固定し、前記ブレード及びブロックを一体のブレードサブアセンブリに構成する、方法。
【請求項２３】
前記一体のサブアセンブリを剃毛かみそりのハウジング内の凹部に挿入することを更に含む、請求項２２に記載の方法。
【請求項２４】
前記刃先を前記ハウジング上の停止部材に接触するように動かすことを更に含む、請求項２２に記載の方法。
【請求項２５】
前記刃先を前記停止部材に対して付勢するために、前記ハウジングに固定された付勢部材を提供することを更に含む、請求項２２に記載の方法。
【請求項２６】
前記一体のブレードサブアセンブリをスナップ嵌め接続によって前記ハウジング内で保持することを更に含む、請求項２３に記載の方法。
【請求項２７】
前記凹部が底部に向かって開いており、前記位置決めが、前記一体のブレードサブアセンブリを前記凹部内に押し上げることを伴う、請求項２３に記載の方法。
【請求項２８】
前記凹部が頂部に向かって開いており、前記位置決めが、前記一体のブレードサブアセンブリを前記凹部内に押し下げることを伴う、請求項２３に記載の方法。
【発明の詳細な説明】
【技術分野】
【０００１】
本発明は、剃毛かみそり、及びそのブレードサブアセンブリ、並びに製造方法に関する。
【背景技術】
【０００２】
剃毛かみそりは、多くの場合、プラスチック製のハウジング内で所望の位置に固定された複数のブレードを含む。ハウジングは、ブレードの前部にエラストマー材で作成されたフィン又は他の皮膚に接触する構造を有する防護部と、ブレードの後側に皮膚をその上で滑らせることができるキャップとを備えることが多い。剃毛の補助物（例えば、潤滑剤分配機構）を、キャップの中、並びに場合によっては防護部の中に、組み込むことができる。ブレードは、固定又は可動であることができ、ハウジングは、例えば、剃毛中に皮膚の曲線に追随する助けとなるように、ハンドルに固定するか、ハンドルに可動に取り付けることができる。
【０００３】
いくつかの異なるタイプの剃毛かみそりの例が、米国特許第５，３１３，７０６号、第５，３６９，８８５号、第５，４１６，９７４号、第５，５４６，６６０号、第６，０３２，３７２号、第６，１４５，２０１号、第６，１６１，２８８号、第６，２１６，３４５号、第６，２１６，５６１号、及び第６，３９７，４７３号に記載されている。
【０００４】
一態様では、本発明は、一般に、複数の細長い金属製ブレードを含む、剃毛かみそりのためのサブアセンブリを扱う。ブレードは、剃毛面の長手方向末端部を規定する刃先を有し、長手方向末端部で第１及び第２のプラスチック製ブロックに固定されて、一体のユニットを提供する。
【０００５】
本発明の特定の実施形態は、１以上の次の特徴を含んでもよい。特定の実施形態では、ブレードの長手方向末端部は、第１及び第２のプラスチック製ブロック内のスロットに受け入れられる。ブレードの長手方向末端部及びスロットは、噛み合う係止構造を有して、長手方向末端部を第１及び第２のプラスチック製ブロックに固定する。係止構造は、スロット内に突出する、長手方向末端部を貫通する穴に係合する突出部を含む。長手方向末端部は、スロットの幅から突出部の高さを差し引いたよりも大きな厚さを有する。
【０００６】
いくつかの実施形態では、各ブレードは、刃先を有する細長い切刃部材と、細長い切刃部材が取り付けられる細長い支持体とを含み、細長い支持体の長手方向末端部は、２つの側部で互いに溶接される。いくつかの他の実施形態では、各ブレードは、刃先を有する細長い切刃部材部分と、切刃部材部分から下向きに曲がった一体の細長い支持体部分とを含み、細長い支持体部分の長手方向縁部は、２つの側部で互いに溶接される。更に他の実施形態では、各ブレードは、刃先を有する細長い切刃部材と、細長い切刃部材から延在する長手方向末端部とを含む。サブアセンブリは、２枚のブレード、３枚のブレード、４枚のブレード、又は５枚、もしくはそれ以上のブレードを有することができる。刃先は、共通の平面内に配置されることができる。サブアセンブリは、剃毛かみそりのハウジングに接続するためのスナップ嵌め構造を有することができる。
【０００７】
別の態様では、本発明は、一般に、上述したようなサブアセンブリと、サブアセンブリが中に固定される凹部を有するハウジングとを含む剃毛かみそりを扱う。かみそりは、刃先が停止部材に当って止まる、ハウジングに固定された停止部材を有することができる。かみそりは、ハウジングに固定され、刃先が停止部材に対して付勢されるようにブレードを付勢する、付勢部材を有することができる。ブレードは、剃毛中、スロット内で可動であることができる。停止部材は、プラスチック製ブロック上に設けられる。異なるスロットは、異なる高さで停止部材を有することができる。スロットは、平行又は非平行であることができる。
【０００８】
別の態様では、本発明は、一般に、刃先並びに第１及び第２の長手方向末端部を有する複数の細長い金属製かみそりブレードを提供し、第１の長手方向末端部を第１のプラスチック製ブロックに、且つ第２の長手方向末端部を第２の末端ブロックに、刃先が剃毛面を規定するように第１及び第２のプラスチック製ブロック上の位置で固定し、ブレード及びブロックが一体のブレードサブアセンブリを提供することを含む、剃毛かみそりの製造方法を扱う。
【０００９】
本発明の特定の実施形態は、１以上の次の特徴を含んでもよい。特定の実施形態では、一体のサブアセンブリは、剃毛かみそりのハウジング内の凹部に挿入される。刃先は、ハウジング上の停止部材に接触するように動かされる。刃先を停止部材に対して付勢するためにハウジングに固定された付勢部材。一体のブレードサブアセンブリユニットは、スナップ嵌め接続によってハウジング内で保持される。凹部が頂部に向かって開いており、一体のブレードサブアセンブリを凹部内に押し下げることができるか、又は、凹部が底部に向かって開いており、一体のブレードサブアセンブリを凹部内に押し上げることができる。
【００１０】
本発明の実施形態は、１以上の次の利点を含んでもよい。かみそりブレードカートリッジの自動組立ては、すべてのブレードを１つのユニットとして１工程で設置することにより、簡略化することができる。互いに対する刃先の幾何学形状は、組み立ててハウジングに入れる前に、厳重に制御して、且つ所望であれば様々に、設定することができる。ブレードのサブアセンブリは、取外し可能にハウジング内に嵌め込み、ブレードが消耗すれば、新しいサブアセンブリと交換することによって、廃棄する部品を減少させ、より多くの部品を再使用することができる。また、一体のブレードサブアセンブリは、例えば、異なるブレードの接角、露出、及び／又は間隔といった、様々に異なるブレードの幾何学形状で製造することができ、異なるサブアセンブリはすべて、それらが挿入されるカートリッジの残部に対して共通の設計で使用して、部品の総数を簡略化し、同時に様々に異なる幾何学形状を容易に提供できるように細工することができる。
【００１１】
本発明の他の利点及び特徴は、本発明の特定の実施形態の以下の説明及び特許請求の範囲から明らかになるであろう。
【００１２】
図１を参照すると、剃毛かみそり１０は、プラスチック製ハウジング１２、ハウジング１２内に固定されたブレード１４、キャップ１６（潤滑性ストリップを含む）、ハンドル１８、接続片１９（枢動可能にハウジング１２に、且つ取外し可能にハンドル１８に接続されている）、及びフィン２２を有するエラストマー材製の防護部２０を含む。剃毛面を規定する刃先２８（図７を参照）を有する５枚のブレード１４が存在する。
【００１３】
図２から明らかなように、ブレード１４は、ハウジング１２内の凹部２１に上から嵌め込まれる一体のブレードサブアセンブリ１３として提供され、２つのクリップ２３（１つのみが図２に示される）で適所に保持される。クリップ２３は、刃先が縁部でそこに当って止まる停止面を規定する。エラストマー材製のレール２５は、サブアセンブリ１３の幅全体にわたってハウジングの底部に結合し、ブレード１４の底部を上向きに付勢する。他の実施形態は、カートリッジの後部から挿入されるブレードを有することができる。
【００１４】
図３〜９を参照すると、ブレードサブアセンブリ１３は、５枚のブレード１４及び２つのプラスチック製の側部末端ブロック２４を含む。
【００１５】
各ブレード１４は、刃先２８を有する細長い切刃部材２６と、切刃部材２６がスポット溶接３２で取り付けられる細長い支持体３０とを含む。細長い支持体は、その長さに沿って、短い上側部分３４と長い基部３６とを有する角度を付けた部分を有する。基部３６の長手方向末端部３８は、プラスチック製の末端ブロック２４のスロット４０に受け入れられる。各長手方向末端部は穴４２を有する。
【００１６】
あるいは、細長い切刃部材は、例えば図１３の一体型の複合部材３９に関して示すように、刃先部分及び一体の曲がった基部を有する一体型の構成であることができ、又は、例えば図１４の一体型の単純な切刃部材４１に関して示すように、曲がった基部を有さないことさえできる。
【００１７】
図９に示すように、各スロット４０は、ブレードの長手方向末端部３８を末端ブロック２４内で固定するために、穴４２に受け入れられる突出部４４を有する。スロット４０は０．０１８ｃｍ（０．００７インチ）の幅を有し、長手方向末端部３８は０．０１５ｃｍ（０．００６インチ）の厚さを有し、また突出部４４は０．３６ｃｍ（０．０１５インチ）の高さを有する。突出部４４は、長手方向末端部３８をスロット４０に挿入する間、わずかに変形し、次いで、穴４２の中に嵌って、ブレード１４の長手方向末端部３８をスロット４０内で固定する。すべての長手方向末端部３８をスロット４０に挿入した後、得られた一体のブレードサブアセンブリ１３を、エラストマー材製のレール２５の上にある凹部２１に単に挿入し、クリップ２３でハウジング１２内の適所に保持することができる。ブレード１４は、限定された範囲内において、ハウジング１２に接続する前は、サブアセンブリ１３内で浮動性である。ハウジング１２内で、刃先２８は、クリップ２３によってハウジング１２上に設けられた停止面に当って止まり、基部３６の底部は、ハウジング１２の底部にあるエラストマーのレール２５によって上向きに付勢される。これにより、剃毛面を規定する切れ刃の位置が設定される。
【００１８】
図１０及び１１を参照すると、代替のブレードサブアセンブリ８０は、ブレード８８の長手方向末端部８６が剃毛中その中で自由に滑動可能な、垂直方向スロット８４を有する末端ブロック８２を有する。使用中にブレード８８を上向きに付勢するばねを、末端ブロック８２の内側に一体に成型されたアーム（米国特許第６，００９，６２４号に示されるカートリッジハウジング内に成型されたアームと類似のもの）として、又は（米国特許第４，９３２，１２２号のように）ブレード支持体の底部に形成して、或いは他の手段によって提供することができる。図１０では、ブレード８８は上向きの位置で示されており、図１１では、ブレード８８は下がった位置で示されている。ブレード８８の最上位置は、図１〜２の実施形態のように、クリップ２３によって設定することができる。この場合は、すべての刃先は共通の平面内にあることになり、中央の３枚のブレードの露出は、ブレード１及び５に対してゼロになる。あるいは、ブレードの最上位置は、スロット８４によって設定することができる。これによって、中央のブレードの露出を非ゼロにすることができるようになり、カートリッジに新たな細工を施す必要なしに、単に末端ブロックのスロットを変えることによって、露出を設定することができるようになる。例えば、図１２において、サブアセンブリ９０のスロット９２、９４、及び９６は異なる高さを有して、非ゼロの露出を提供する。また、例えば図１２のスロット９８に関して示すように、異なるブレードに対して異なる行程を提供するために、スロットの角度は非平行であることができる。従って、単に異なるスロットの構成を有する様々に異なる末端ブロックを提供することによって、共通の構成要素を有する共通のかみそりの設計において、様々に異なるブレードの幾何学形状を提供することができる。
【００１９】
本発明の他の実施形態は、添付の特許請求の範囲内にある。
【００２０】
ブレードはあらゆる数（例えば、２、３、４、５、６、７など）であることができる。２枚のブレードサブアセンブリ１００、３枚のブレードサブアセンブリ１０２、及び４枚のブレードサブアセンブリ１０４を、図１５〜１７にそれぞれ示す。また、カートリッジ及びハンドルは、使い捨てかみそりなど、一体の部品であってもよい。
【図面の簡単な説明】
【００２１】
【図１】剃毛かみそりの部分斜視図。
【図２】図１の剃毛かみそりの拡大部分斜視図。
【図３】図１の剃毛かみそりのブレードサブアセンブリの斜視図。
【図４】図３のブレードサブアセンブリの平面図。
【図５】図３のブレードサブアセンブリの前面図。
【図６】図３のブレードサブアセンブリの側面図。
【図７】図３のブレードサブアセンブリのブレードの斜視図。
【図８】図３のブレードサブアセンブリのプラスチック製末端ブロック構成要素の斜視図。
【図９】図３のブレードサブアセンブリにおけるブレードの長手方向末端部のプラスチック製末端ブロックに対する接続を示す断面図。
【図１０】ブレードサブアセンブリの代替実施形態の部分斜視図。
【図１１】ブレードサブアセンブリの代替実施形態の部分斜視図。
【図１２】ブレードサブアセンブリの更なる代替実施形態の正面図。
【図１３】代替の一体型ブレード構成の斜視図。
【図１４】代替の一体型ブレード構成の斜視図。
【図１５】図１の剃毛かみそりに使用するための、２枚、３枚、及び４枚ブレードの代替サブアセンブリの斜視図。
【図１６】図１の剃毛かみそりに使用するための、２枚、３枚、及び４枚ブレードの代替サブアセンブリの斜視図。
【図１７】図１の剃毛かみそりに使用するための、２枚、３枚、及び４枚ブレードの代替サブアセンブリの斜視図。
【符号の説明】
【００２２】
１０  剃毛かみそり
１２  ハウジング
１３  一体のブレードサブアセンブリ
１４  ブレード
１６  キャップ
１８  ハンドル
１９  接続片
２０  エラストマー材製の防護部
２１  凹部
２２  フィン
２３  クリップ
２５  エラストマー材製のレール
２６  切刃部材
２８  刃先
３０  細長い支持体
３２  スポット溶接
３４  短い上側部分
３６  長い基部
３８  長手方向末端部
３９  一体型の複合部材
４０  スロット
４１  一体型の単純な切刃部材
４２  穴
４４  突出部
８０  ブレードサブアセンブリ
８２  末端ブロック
８４  垂直方向スロット
８６  長手方向末端部
８８  ブレード
９０  サブアセンブリ
９２  スロット
９４  スロット
９６  スロット
９８  スロット
１００  ２枚のブレードサブアセンブリ
１０２  ３枚のブレードサブアセンブリ
１０４  ４枚のブレードサブアセンブリ
【図１】
2007520325.tif 000003
【図２】
2007520325.tif 000004
【図３】
2007520325.tif 000005
【図４】
2007520325.tif 000006
【図５】
2007520325.tif 000007
【図６】
2007520325.tif 000008
【図７】
2007520325.tif 000009
【図８】
2007520325.tif 000010
【図９】
2007520325.tif 000011
【図１０】
2007520325.tif 000012
【図１１】
2007520325.tif 000013
【図１２】
2007520325.tif 000014
【図１３】
2007520325.tif 000015
【図１４】
2007520325.tif 000016
【図１５】
2007520325.tif 000017
【図１６】
2007520325.tif 000018
【図１７】
2007520325.tif 000019
【国際調査報告】
2007520325.tif 000020
2007520325.tif 000021
2007520325.tif 000022
2007520325.tif 000023